(57)【要約】【課題】  従来より操作部の部品点数が少なく、組み立てが容易で、狭小空間での便器周りの清掃時に操作部が邪魔にならない人体局部洗浄装置を提供すること。【解決手段】  人体局部洗浄装置１は、人体局部を洗浄する洗浄ノズル１１が設けられ便器に載置されるベースプレート１２と、ベースプレート１２と一体に組み合わされ洗浄ノズル１１を覆うベースカバー１３と、を有する本体部１０と、本体部１０と別体で形成され、本体部１０横に取り付く操作部２０と、操作部２０の表面に貼り付くメンブレンスイッチ３０とから構成される。【選択図】  図１
2012067455.tif 000002
【特許請求の範囲】
【請求項１】
人体局部を洗浄する洗浄手段が設けられ便器に載置されるベースプレートと、前記ベースプレートと一体に組み合わされ前記洗浄手段を覆うベースカバーと、を有する本体部と、
前記本体部と別体で形成され、前記本体部横に取り付く操作部と、
前記操作部の表面に貼り付くメンブレンスイッチと
を備える人体局部洗浄装置。
【請求項２】
前記操作部は前記本体部に取り付く締結部を有し、前記締結部は前記本体部と締結部材で固定されることを特徴とする請求項１に記載の人体局部洗浄装置。
【請求項３】
前記操作部は前記本体部に取り付く係合部を有し、前記係合部は弾性変形して前記本体部と着脱可能に組み付くことを特徴とする請求項１に記載の人体局部洗浄装置。
【請求項４】
前記操作部は前記本体部に取り付くヒンジ部を有し、前記操作部は前記本体部と相対回転可能に組み付くことを特徴とする請求項１に記載の人体局部洗浄装置。
【請求項５】
前記ヒンジ部は係合ピンを有し、
前記本体部は前記係合ピンと係合する長穴部と前記操作部の相対回転を規制する規制部とを有し、
前記係合ピンが前記長穴部の一端に位置するときは、前記規制部は前記操作部と前記本体部との相対回転を規制し、
前記係合ピンが前記長穴部の他端に位置するときは、前記規制部は前記操作部と前記本体部との相対回転を許容することを特徴とする請求項４に記載の人体局部洗浄装置。
【発明の詳細な説明】
【技術分野】
【０００１】
本発明は、本体部横に人体局部の洗浄機能を操作する操作部を備える人体局部洗浄装置に関する。
【背景技術】
【０００２】
従来技術として、図７の人体局部洗浄装置６０がある。人体局部洗浄装置６０は、ベースプレート６１とベースカバー６２とを有する本体部６３と、本体部６３と別体に形成される操作部６４と、を備える。操作部６４は、キートップ６５と、キートップ６５の上部に貼り付けられた操作銘板６６と、キートップ６５の下方に配設された操作基板６７と、キートップ６５に合わせて形成された裏蓋６８と、から構成される。操作部６４は、本体部６３横にネジ６９で固定される。
【０００３】
また、従来技術として、便器の後部上側に着脱自在に固定され且つ便器の幅方向に延在する本体部と、本体部に枢着された便座と、本体部内に収容された洗浄ノズルと、信号がワイヤレスで制御機構に送られ洗浄ノズルを操作する操作部と、を備え、本体部の横には前方に延在する張出部が着脱自在に固定可能とした人体局部洗浄装置がある（例えば、特許文献１参照。）。
【先行技術文献】
【特許文献】
【０００４】
【特許文献１】特開２００３−３１３９２２号公報
【発明の概要】
【発明が解決しようとする課題】
【０００５】
しかしながら、図７の従来技術の人体局部洗浄装置６０では、操作部６４はキートップ６５に操作基板６７を取り付けて、それから表面に操作銘板６６を貼り、キートップ６５の裏側を裏蓋６８で蓋をして、ネジ６９で固定する必要があり、部品点数が多く、組み立て工数が多く掛かる問題がある。また、本体部６３と操作部６４がネジ６９で固定されたままだと、狭小空間での便器周りの清掃時に操作部６４が邪魔になる問題がある。
【０００６】
また、特許文献１の人体局部洗浄装置では、ワイヤレスで信号を送るため操作部に送信部材を、本体部に受信部材を設ける必要があり、部品点数が増える問題がある。
【０００７】
本発明は上記問題点に鑑みて成されたものであり、従来より操作部の部品点数が少なく、組み立てが容易で、狭小空間での便器周りの清掃時に操作部が邪魔にならない人体局部洗浄装置を提供することを目的とする。
【課題を解決するための手段】
【０００８】
本発明の第１の課題解決手段は、人体局部を洗浄する洗浄手段が設けられ便器に載置されるベースプレートと、前記ベースプレートと一体に組み合わされ前記洗浄手段を覆うベースカバーと、を有する本体部と、前記本体部と別体で形成され、前記本体部横に取り付く操作部と、前記操作部の表面に貼り付くメンブレンスイッチとを備える構成である。
【０００９】
また、本発明の第２の課題解決手段は、前記操作部は前記本体部に取り付く締結部を有し、前記締結部は前記本体部と締結部材で固定される構成である。
【００１０】
また、本発明の第３の課題解決手段は、前記操作部は前記本体部に取り付く係合部を有し、前記係合部は弾性変形して前記本体部と着脱可能に組み付く構成である。
【００１１】
また、本発明の第４の課題解決手段は、前記操作部は前記本体部に取り付くヒンジ部を有し、前記操作部は前記本体部と相対回転可能に組み付く構成である。
【００１２】
また、本発明の第５の課題解決手段は、前記ヒンジ部は係合ピンを有し、前記本体部は前記係合ピンと係合する長穴部と前記操作部の相対回転を規制する規制部とを有し、前記係合ピンが前記長穴部の一端に位置するときは、前記規制部は前記操作部と前記本体部との相対回転を規制し、前記係合ピンが前記長穴部の他端に位置するときは、前記規制部は前記操作部と前記本体部との相対回転を許容する構成である。
【発明の効果】
【００１３】
本発明の人体局部洗浄装置では、操作部は、本体部と別体で形成され、表面にメンブレンスイッチを貼り付ける構成のため、従来の操作部より操作部の部品点数が少ない。またワイヤレスで信号を送る送信部材等を設ける必要がなく、組み立てが容易である。また、操作部は、メンブレンスイッチが貼り付く簡潔な構成で、従来と比べて小型・軽量化が図れ、本体部から容易に取り外すことができるため、狭小空間での便器周りの清掃時に操作部が邪魔にならない。
【００１４】
また、操作部は本体部に取り付く締結部を有し、締結部は本体部と締結部材で固定される構成のため、締結部材を操作するだけで操作部の着脱が容易に行える。また、操作部は本体部と分離して構成されるため、本体部を操作部一体型／別体型のどちらにも共通して使用することができる。
【００１５】
また、操作部は本体部に取り付く係合部を有し、係合部は弾性変形して本体部と着脱可能に組み付く構成のため、操作部を本体部へ固定するための締結部材が不要である。よって狭小空間での便器周りの清掃時の操作部の着脱が容易になり、また洗浄、乾燥などの操作をする時に、使用者が操作部を本体部横より取り外して手元で操作することが可能で、操作性が向上する。
【００１６】
また、操作部は本体部に取り付くヒンジ部を有し、操作部は本体部と相対回転可能に組み付く構成のため、狭小空間での便器周りの清掃時に操作部を相対回転して折りたたむことで、操作部が邪魔になる問題を解決でき、また操作部は本体部に折りたたまれた状態のため、操作部の置き場に困らない。
【００１７】
また、ヒンジ部に設けた係合ピンが本体部の長穴部の一端に位置するときは、本体部に設けた規制部がヒンジ部と当接して、操作部と本体部との相対回転を規制し、係合ピンが長穴部の他端に位置するときは、規制部とヒンジ部との当接が解除され、操作部と本体部との相対回転を許容する。よって係合ピンを長穴部に沿って移動するだけで容易に操作部を折りたたむことができる。
【図面の簡単な説明】
【００１８】
【図１】本発明の人体局部洗浄装置の組立図である。
【図２】本発明のメンブレンスイッチの操作部の構成を示す断面図である。
【図３】本発明の変形例１で、操作部を取り外した状態の人体局部洗浄装置の斜視図である。
【図４】本発明の変形例２で、操作部とベースカバーとを取り外した状態の人体局部洗浄装置の斜視図である。
【図５】本発明の変形例２で、操作部の係合ピンが本体部の長穴部の一端に位置する場合の説明図である。
【図６】本発明の変形例２で、操作部の係合ピンが本体部の長穴部の他端に位置する場合の説明図である。
【図７】従来の人体局部洗浄装置の組立図である。
【発明を実施するための形態】
【００１９】
以下に本発明の実施の形態を図面に基づいて詳細に説明する。
【００２０】
図１は、本発明の人体局部洗浄装置１の組立図である。人体局部洗浄装置１は、本体部１０と、本体部１０と別体で形成され、本体部１０横に取り付く操作部２０と、操作部２０の表面に貼り付くメンブレンスイッチ３０と、から構成される。
【００２１】
本体部１０は、人体局部を洗浄する洗浄ノズル１１が設けられ便器に載置されるベースプレート１２と、ベースプレート１２と一体に組み合わされ洗浄ノズル１１を覆うベースカバー１３と、を有する。操作部２０は、本体部１０に取り付く締結部２１を有する。締結部２１には、配線通し穴２２と２つの取り付け穴２３が形成される。操作部２０は、取り付け穴２３でネジ２４（締結部材）により本体部１０横に固定される。メンブレンスイッチ３０は、本体部１０の内部に設けられる図示しない制御基板と接続する配線３１を有し、操作部２０の表面の貼り付け面２５に貼り付けられる。
【００２２】
図２は、本発明のメンブレンスイッチ３０の構成を示す断面図である。メンブレンスイッチ３０は、上部接点シート３２と下部接点シート３３との間にスペーサー３４を挟んで貼合わせた構成である。上部接点シート３２の全面は、ポリエステル製でエンボス加工され、使用者が洗浄、乾燥、脱臭等の操作を行う操作銘板シート３５が貼合わされる。また、下部接点シート３３の全面は、粘着シート３６が貼合わされる。メンブレンスイッチ３０は、表面全体を操作銘板シート３５で覆われるため、防水性、防塵性に優れる。
【００２３】
使用者がエンボス加工された洗浄、乾燥、脱臭が表示された操作銘板シート３５の押圧部３７を押圧すると、押圧部３７は弾性変形して上部接点シート３２を下部接点シート３３方向に変位する。そして上部接点シート３２の接点３８と下部接点シート３３の接点３９が接触して導通状態になる。使用者が押圧部３７から手を離すと、押圧部３７は押圧前の形状に戻り、上部接点シート３２の接点３８と下部接点シート３３の接点３９が離れて絶縁状態になる。このときの導通／絶縁状態の信号が配線３１により本体部１０の内部の制御基板に送られる。
【００２４】
次に人体局部洗浄装置１の組み立て手順について説明する。メンブレンスイッチ３０に設けられた配線３１は、配線通し穴２２を通り、本体部１０の内部の制御基板に接続される。配線通し穴２２と配線３１の間は接着剤で封止される。メンブレンスイッチ３０は、粘着のシート３６により貼り付け面２５に外側から貼り付けられる。ベースカバー１３は、洗浄ノズル１１を覆うようにベースプレート１２に一体に組み付けられる。そして、操作部２０は締結部２１に設けた取り付け穴２３の上方よりネジ２４により本体部１０に固定される。
【００２５】
本発明の人体局部洗浄装置１では、操作部２０は、本体部１０と別体で形成され、貼り付け面２５にメンブレンスイッチ３０を貼り付ける構成のため、従来の操作部２０より部品点数が少なく、またワイヤレスで信号を送る送信部材等を備えていないため、組み立てが容易である。また、操作部２０は、メンブレンスイッチ３０が貼り付く簡潔な構成で、従来と比べて小型・軽量化が図れる。また、操作部２０は本体部１０に取り付く締結部２１を有し、締結部２１は本体部１０とネジ２４で固定される構成のため、ネジ２４を操作するだけで操作部２０の着脱が容易に行える。操作部２０を本体部１０と分離して構成することで、本体部１０を操作部２０の一体型／別体型のどちらにも共通して使用することができる。
【００２６】
図３は、本発明の変形例１で、操作部を取り外した状態の人体局部洗浄装置の斜視図である。変形例１の操作部４０は、本体部１０とネジ等の締結部材を用いることなく着脱可能に組み付く構成で、その他の構成は図１の操作部２０と同じである。同一の構成、機能については、同一の符号を用いて説明する。
【００２７】
係合部４１には、２つのスリット４２と、２つの弾性部４３が形成される。弾性部４３の端部には、本体部１０と係合する突起形状の突起部４４が形成される。
【００２８】
操作部４０を本体部１０に取り付ける場合は、係合部４１を本体部１０の側面に挿入する。突起部４４は、本体部１０と当接してスリット４２方向に押され、弾性部４３はスリット４２方向に弾性変形する。係合部４１が所定の長さまで挿入されると、突起部４４と本体部１０の当接が解除されて、弾性部４３は、挿入前の形状に戻る。このとき突起部４４と本体部１０は、挿入された方向に対して係合状態となる。
【００２９】
操作部４０を本体部１０から取り外す場合は、弾性部４３をスリット４２方向に弾性変形させる。このとき突起部４４と本体部１０は、挿入された方向に対して係合が解除された状態となる。この状態のまま操作部４０を本体部１０に挿入された方向と反対の方向に引き抜くことで、操作部４０を本体部１０から取り外すことができる。
【００３０】
操作部４０は、本体部１０に取り付く係合部４１を有し、係合部４１は弾性部４３が弾性変形して本体部１０と着脱可能に組み付く構成のため、操作部４０を本体部１０へ固定するためのネジ等が不要である。よって、狭小空間での便器周りの清掃時の操作部の着脱が容易になり、また洗浄、乾燥などの操作をする時に、使用者が操作部４０を本体部横より取り外して手元で操作することが可能で、操作性が向上する。
【００３１】
図４は、本発明の変形例２で、操作部５０とベースカバー１３とを取り外した状態の人体局部洗浄装置１の斜視図である。変形例２の操作部５０は、本体部１０に対して相対回転可能で、必要なときに操作部５０を折りたたむことができる構成である。その他の構成は図１の操作部２０と同じで、同一の構成、機能については、同一の符号を用いて説明する。
【００３２】
操作部５０は本体部１０に取り付くヒンジ部５１を有し、操作部５０は本体部１０と相対回転可能に組み付く構成である。ヒンジ部５１には係合ピン５２が設けられ、本体部１０には係合ピン５２と係合する長穴部５３と操作部５０の相対回転を規制する規制壁５４（規制部）とが設けられる。
【００３３】
図５は、本発明の変形例２で、操作部５０の係合ピン５２が本体部１０の長穴部５３の図面右端（一端）に位置する場合の説明図である。係合ピン５２が長穴部５３の右端に位置するときは、規制壁５４はヒンジ部５１と当接して、操作部５０と本体部１０との相対回転を規制する。
【００３４】
図６は、本発明の変形例２で、操作部５０の係合ピン５２が本体部１０の長穴部５３の図面左端（他端）に位置する場合の説明図である。操作部５０をＡ方向にスライドして、係合ピン５２が長穴部５３の図面左端に位置すると、規制壁５４とヒンジ部５１との当接は解除される。よって操作部５０と本体部１０との相対回転は許容され、操作部５０はＢ方向に回転して本体部１０に折りたたまれる。
【００３５】
操作部５０は本体部１０に取り付くヒンジ部５１を有し、操作部５０は本体部１０と相対回転可能に組み付く構成のため、狭小空間での便器周りの清掃時に操作部５０を相対回転して折りたたむことで、操作部５０が邪魔になる問題を解決でき、また操作部５０は本体部１０に折りたたまれた状態のため、操作部５０の置き場に困らない。
【００３６】
また、ヒンジ部５１に設けた係合ピン５２が本体部１０の長穴部５３の図５の右端に位置するときは、本体部１０に設けた規制壁５４がヒンジ部５１と当接して、操作部５０と本体部１０との相対回転を規制し、係合ピン５２が長穴部５３の図５の左端に位置するときは、操作部５０と本体部１０とは相対回転可能であり、係合ピン５２を長穴部５３に沿ってＡ方向にスライドするだけで容易に操作部５０を折りたたむことができる。
【符号の説明】
【００３７】
１  人体局部洗浄装置
１０  本体部
１１  洗浄ノズル（洗浄手段）
１２  ベースプレート
１３  ベースカバー
２０  操作部
２１  締結部
２２  配線通し穴
２３  取り付け穴
２４  ネジ（締結部材）
３０  メンブレンスイッチ
４０  操作部
４１  係合部
５０  操作部
５１  ヒンジ部
５２  係合ピン
５３  長穴部
５４  規制壁（規制部）
【図１】
2012067455.tif 000003
【図２】
2012067455.tif 000004
【図３】
2012067455.tif 000005
【図４】
2012067455.tif 000006
【図５】
2012067455.tif 000007
【図６】
2012067455.tif 000008
【図７】
2012067455.tif 000009